(57)【要約】      （修正有）【課題】屋根パネルの設置作業が効率的に行うことができる屋根の構造、および作製が容易で傾斜の精度も出しやすい束材を提供する。【解決手段】小屋梁１の上に、屋根の水勾配に合せた高さを有する束材が取り付けられており、束材は、小屋梁１に固定されるベース板２１と、屋根パネルが固定される立上板部２４とを有しており、立上板部２４には、水下側に位置する屋根パネルを固定するボルト５が横方向から挿通される第１挿通孔２４ａと、水上側に位置する屋根パネルを固定するボルト５が横方向から挿通される第２挿通孔２４ｂとが形成されており、隣り合う複数枚の屋根パネルの角部が第１挿通孔２４ａと第２挿通孔２４ｂとに各々横方向から挿通されたボルト５によって立上板部２４に固定されている。【選択図】図５
2016118012.tif 000002
【特許請求の範囲】
【請求項１】
屋根の水勾配に合せた高さを有する束材が梁に取り付けられており、上記束材は、上記梁に固定されるベース板と、上記屋根を構成する屋根パネルが固定される立上板部とを有しており、上記立上板部には、水下側に位置する屋根パネルの水上側を固定する固定部材が横方向から挿通される第１挿通孔と、水上側に位置する屋根パネルの水下側を固定する固定部材が横方向から挿通される第２挿通孔とが形成されており、隣り合う複数枚の屋根パネルの角部が上記第１挿通孔と上記第２挿通孔とに各々横方向から挿通された固定部材によって上記立上板部に固定されていることを特徴とする屋根の構造。
【請求項２】
請求項１に記載の屋根の構造において、上記第１挿通孔の中心と上記第２挿通孔の中心とを結ぶ線の勾配が上記屋根の水勾配よりも大きくされていることを特徴とする屋根の構造。
【請求項３】
請求項１または請求項２に記載の屋根の構造において、上記束材には、上記屋根パネルを上記立上板部に固定する際に一時的に上記屋根パネルを仮置くことができる預け板部が設けられていることを特徴とする屋根の構造。
【請求項４】
請求項１〜請求項３のいずれか１項に記載の屋根の構造において、フラット屋根とされており、水勾配が１／１００以上１／３０以下であることを特徴とする屋根の構造。
【請求項５】
屋根を構成する屋根パネルを梁の上で支持する束材において、上記梁に固定されるベース板と、上記屋根パネルが固定される立上板部とを備えており、上記立上板部には、水下側に位置する屋根パネルの水上側を固定する固定部材が横方向から挿通される第１挿通孔と、水上側に位置する屋根パネルの水下側を固定する固定部材が横方向から挿通される第２挿通孔とが形成されていることを特徴とする束材。
【請求項６】
請求項５に記載の束材において、上記第１挿通孔の中心と上記第２挿通孔の中心とを結ぶ線の勾配が、上記屋根の水勾配よりも大きくされていることを特徴とする束材。
【請求項７】
請求項５または請求項６に記載の束材において、上記屋根パネルを上記立上板部に固定する際に一時的に上記屋根パネルを仮置くことができる預け板部が設けられていることを特徴とする束材。
【発明の詳細な説明】
【技術分野】
【０００１】
この発明は、束材が用いられた屋根の構造および束材に関する。
【背景技術】
【０００２】
特許文献１には、屋根パネルが小屋梁に立てられた束材に直接取り付けられて屋根面を形成している屋根の構造が開示されている。このような構造であれば、小屋組部分を含む屋根の構成部材の種類を減らすことができ、施工や部材の運搬を容易にかつコスト的に有利に行うことができる。
【先行技術文献】
【特許文献】
【０００３】
【特許文献１】特開２００１−１４０３９７号公報
【発明の概要】
【発明が解決しようとする課題】
【０００４】
しかしながら、上記特許文献１に記載の屋根の構造では、屋根パネルの上側と下側とでボルト締結を行う構造であるため、当該屋根パネルの設置作業が効率的に行えない。また、屋根パネルを取り付けるための取付けプレートが束材の上端部で屋根の勾配の角度に合せて傾斜して固定される構造であるため、束材の作製が容易でなく、勾配の精度も出しにくい。
【０００５】
この発明は、上記の事情に鑑み、屋根パネルの設置作業が効率的に行える屋根の構造、および作製が容易で勾配の精度も出しやすい束材を提供することを課題とする。
【課題を解決するための手段】
【０００６】
この発明の屋根の構造は、上記の課題を解決するために、屋根の水勾配に合せた高さを有する束材が梁に取り付けられており、上記束材は、上記梁に固定されるベース板と、上記屋根を構成する屋根パネルが固定される立上板部とを有しており、上記立上板部には、水下側に位置する屋根パネルの水上側を固定する固定部材が横方向から挿通される第１挿通孔と、水上側に位置する屋根パネルの水下側を固定する固定部材が横方向から挿通される第２挿通孔とが形成されており、隣り合う複数枚の屋根パネルの角部が上記第１挿通孔と上記第２挿通孔とに各々横方向から挿通された固定部材によって上記立上板部に固定されていることを特徴とする。
【０００７】
上記の構成であれば、隣り合う複数枚の屋根パネルの角部が、上記第１挿通孔と第２挿通孔とに各々横方向から挿通された固定部材によって、上記立上板部に固定されるので、上記屋根パネルの設置作業が効率的に行える。
【０００８】
上記第１挿通孔の中心と上記第２挿通孔の中心とを結ぶ線の勾配が上記屋根の水勾配よりも大きくされていてもよい。これによれば、上記第１、第２挿通孔のクリアランスなどに起因して、上記水下側の屋根パネルの水上側の縁が、水上側の屋根パネルの水下側の縁よりも上側に位置するのを防止することができる。
【０００９】
上記束材には、上記屋根パネルを上記立上板部に固定する際に一時的に上記屋根パネルを仮置くことができる預け板部が設けられていてもよい。このように一時的に上記屋根パネルを仮置くことができると、上記屋根パネルの設置作業が効率的に行えることになる。
【００１０】
フラット屋根とされており、水勾配が１／１００以上１／３０以下であってもよい。このようなフラット屋根でも、的確に水勾配を付けることができる。
【００１１】
また、この発明の束材は、屋根を構成する屋根パネルを梁の上で支持する束材において、上記梁に固定されるベース板と、上記屋根パネルが固定される立上板部とを備えており、上記立上板部には、水下側に位置する屋根パネルの水上側を固定する固定部材が横方向から挿通される第１挿通孔と、水上側に位置する屋根パネルの水下側を固定する固定部材が横方向から挿通される第２挿通孔とが形成されていることを特徴とする。
【００１２】
上記の構成であれば、上記屋根パネルが固定される上記立上板部は屋根の水勾配に合せた傾斜角度で設けられる必要がなく、上記第１挿通孔と第２挿通孔の高さの差で屋根の水勾配を形成できるので、作製が容易で勾配の精度も出しやすい。
【００１３】
上記第１挿通孔の中心と上記第２挿通孔の中心とを結ぶ線の勾配が、上記屋根の水勾配よりも大きくされていてもよい。これによれば、上記第１、第２挿通孔のクリアランスなどに起因して、上記水下側の屋根パネルの水上側が、水上側の屋根パネルの水下側よりも高くなるのを防止することができる。
【００１４】
上記屋根パネルを上記立上板部に固定する際に一時的に上記屋根パネルを仮置くことができる預け板部が設けられていてもよい。このように一時的に上記屋根パネルを仮置くことができると、上記屋根パネルの設置作業が効率的に行えることになる。
【発明の効果】
【００１５】
本発明であれば、屋根パネルの設置作業を効率的に行うことができ、また、束材の作製が容易で傾斜の精度も出しやすいという効果を奏する。
【図面の簡単な説明】
【００１６】
【図１】本発明の実施形態にかかる屋根の構造の概略構成を示した斜視説明図である。
【図２】本発明の実施形態にかかる束材を示した斜視図である。
【図３】図１の屋根の構造に置ける束材配置箇所を示した図であり、同図（Ａ）は平面視説明図、同図（Ｂ）は同図（Ａ）のＡ−Ａ矢視断面の概略の説明図、同図（Ｃ）は同図（Ａ）のＢ−Ｂ矢視断面の概略の説明図である。
【図４】図１の屋根の構造の束材配置箇所を拡大して示した斜視説明図である。
【図５】図１の屋根の構造の上部側を水平面によって切断して示した斜視説明図である。
【発明を実施するための形態】
【００１７】
以下、この発明の実施の形態を添付図面に基づいて説明する。
図１に示すように、この実施形態の建物の屋根の構造においては、複数設けられた小屋梁１の上に、屋根の水勾配に合せた高さを有する複数の束材２が取り付けられている。上記屋根は例えばフラット屋根とされており、水勾配が例えば１／１００以上１／３０以下とされている。上記小屋梁１は、例えばＨ形鋼からなり、図示しない柱の上端部に水平に固定される。上記束材２には、例えば、上下左右に隣り合う４枚の屋根パネル３の角部が載せられる。当該建物においては、設計の基本寸法であるモジュール幅をＰとして、上記束材２の配置ピッチを例えば最大２Ｐとしている。上記モジュール幅Ｐを尺モジュールとする場合は、Ｐ＝９１０ｍｍとなるので、上記２Ｐは１８２０ｍｍとなる。
【００１８】
図２に示すように、上記束材２は、ベース板２１と、支柱部２２と、預け板部２３と、立上板部２４とを備える。なお、屋根の最も水下側に配置される束材には、その高さを極力低くするために、上記支柱部２２を設けない構成とすることができる。
【００１９】
上記ベース板２１は、上記小屋梁１に固定される方形状の板であり、この方形の辺を上記小屋梁１であるＨ形鋼における上側のフランジの縁に略面一にして設けられている。また、上記ベース板２１の４箇所の角部にボルト挿通孔２１ａが形成されている。上記小屋梁１の上側のフランジには、上記束材２の固定配置に合せてボルト挿通孔が形成されており、このボルト挿通孔に上記ベース板２１の上記ボルト挿通孔２１ａを合せ、挿通したボルト１１（図４等参照）の螺子部にナットを装着して締結することにより、上記束材２を上記小屋梁１に固定することができる。
【００２０】
上記支柱部２２は、横断面が略方形の角筒形状を有しており、上記ベース板２１に溶接等により固定されている。この支柱部２２の高さを変えることで、上記束材２の高さを変えることができる。また、上記ベース板２１の方形の辺に対して、上記支柱部２２の方形の辺が非平行に、例えば、当該支柱部２２の軸回りに４５度回転した状態で位置しており、上記ベース板２１の角部と上記支柱部２２の辺の間の箇所が固定箇所（上記ボルト挿通孔２１ａの形成箇所）とされている。このため、上記ベース板２１の中心側に極力近い位置を固定箇所とすることができ、例えば、上記小屋梁１がＨ形鋼からなっている場合、そのウェブ部に極力近い位置で上記束材２の固定が行えることになる。
【００２１】
上記預け板部２３は、上記ベース板２１と平行に対向しており、上記支柱部２２の上端部に溶接等により固定されている。また、上記預け板部２３は、方形状を有しており、各辺が上記ベース板２１の各辺と平行となるように設けられている。上記預け板部２３には、上記屋根パネル３を上記立上板部２４に固定する際に一時的に上記屋根パネル３を仮置くことができる。
【００２２】
上記立上板部２４は、上記預け板部２３上で当該預け板部２３に対して垂直に且つ屋根の水勾配方向と平行になるように配置され、溶接等によって上記預け板部２３に固定されている。上記立上板部２４には、水下側に位置する屋根パネル３の水上側を固定する固定部材としてのボルト５（図４等参照）が横方向から挿通される第１挿通孔２４ａと、水上側に位置する屋根パネル３の水下側を固定するボルト５が横方向から挿通される第２挿通孔２４ｂとが形成されている。
【００２３】
なお、屋根のケラバ側に配置される束材２においては、そのベース板２１や支柱部に対して、上記預け板部２３や立上板部２４を屋内方向にずらして設けるようにしてもよい。また、このケラバ側に配置される束材２においては、上下左右の４枚の屋根ではなく、上下２枚の屋根パネル３が支持される。
【００２４】
上記第１挿通孔２４ａの中心と上記第２挿通孔２４ｂの中心とを結ぶ線の勾配は、屋根の水勾配よりも大きくされている。すなわち、上記第１挿通孔２４ａの中心から預け板部２３（ベース板２１）の上面までの距離に対し、上記第２挿通孔２４ｂの中心から預け板部２３（ベース板２１）の上面までの距離は、上記水勾配に合せて高くされるが、さらに、これよりも高くしてある。例えば、水勾配を１０／９１０としており、上記第１挿通孔２４ａの中心から上記第２挿通孔２４ｂの中心までの水平距離を９１ｍｍ、上記第１挿通孔２４ａの中心から預け板部２３の上面までの距離を３２ｍｍ、上記第２挿通孔２４ｂの中心から預け板部２３の上面までの距離を３５ｍｍとしている。水勾配に合せるならば、上記第２挿通孔２４ｂの中心から預け板部２３までの距離を３３ｍｍとすれば足りるが、これよりも２ｍｍ程度加算して高くしてある。この加算される２ｍｍは、上記第１、第２挿通孔２４ａ、２４ｂのクリアランスを考慮して設定しているが、必ずしも上記クリアランスの値に制限されるものではない。また、上記第１挿通孔２４ａの中心から上記第２挿通孔２４ｂの中心までの水平距離である上記９１ｍｍおよび上記第１、第２挿通孔２４ａ、２４ｂの中心から預け板部２３の上面までの距離である上記３２ｍｍ、３５ｍｍは一例であり、これらに限定されることはない。また、水勾配も上記１０／９１０に限定されることはない。
【００２５】
また、上記第１挿通孔２４ａの中心から預け板部２３の上面までの距離は、上記屋根パネル３が上記第１挿通孔２４ａを用いて束材２に固定されたときに、当該屋根パネル３が上記預け板部２３から少し浮く程度の距離とされる。
【００２６】
また、上記立上板部２４の上辺部の水下側となる角部には、切欠き２４ｃが形成されている。この切欠き２４ｃは、当該切欠き２４ｃを水下側にして束材２を配置することを示すマークとなっている。上記束材２の配置の方向を示すマークとしては、上記切欠きに限らず、図形、文字、孔、凹状部、凸状部などのマークを用いてもよい。水勾配が小さいフラット屋根用となる束材においては、上記第１、第２挿通孔２４ａ、２４ｂのどちら側が高い位置にあるかの判断が行い難いが、上記マークを設けることによって、束材２の設置方向の間違いを防止することができる。
【００２７】
図３（Ａ）、図３（Ｂ）および図３（Ｃ）に示すように、上記屋根パネル３は、フレーム３１の上側面に、屋根下地となる野地板３２が設けられたものである。なお、上記屋根パネル３には、垂木３３（図４参照）が設けられていてもよく、さらに、２次防水層として例えばアスファルトルーフィングが設けられていてもよい。上記フレーム３１は、方形枠状に形成されており、上記水勾配の方向と平行に配置される一対の第１フレーム部３１ａと、この第１フレーム部３１ａに交差配置される一対の第２フレーム部３１ｂとからなる。
【００２８】
図４および図５にも示すように、上記第１フレーム部３１ａおよび第２フレーム部３１ｂは溝型鋼からなり、その開口を内向きにし、ウェブ部が外側となるように設けられている。上記第１フレーム部３１ａのウェブ部には、ボルト挿通孔が形成されている。このボルト挿通孔には、上記束材２における上記第１挿通孔２４ａおよび第２挿通孔２４ｂにそれぞれ通されるボルト５が挿通される。例えば、左右に隣り合う２枚の屋根パネル３における一方の屋根パネル３のボルト挿通孔にボルト５を通し、さらにこのボルト５をさらに上記第１挿通孔２４ａに通し、螺子部を他方の屋根パネル３のボルト挿通孔から出し、この螺子部にナット６を螺着して締め付けることができる。
【００２９】
上記の構成であれば、隣り合う複数枚の屋根パネル３の角部が、上記第１挿通孔２４ａと第２挿通孔２４ｂとに各々横方向から挿通されたボルト５によって、上記立上板部２４に固定されるので、従来項で示した特許文献１のごとく屋根パネルの上側と下側とで締結を行う構造に比べ、上記屋根パネル３の設置作業が効率的に行える。また、上記屋根パネル３の上記第１フレーム部３１ａが束材２に固定されるため、上記特許文献１のごとく屋根パネルに付加的に溝型鋼やＬ形鋼を設ける必要がなく、また、屋根パネルに上下の向きが生じない。このように、屋根パネルに付加的に溝型鋼やＬ形鋼を設ける必要をなくすことで、上記屋根パネル３のコストを抑え、また、屋根パネル３の上下の向きが生じないことでも、屋根パネル３の設置作業が効率的になる。
【００３０】
上記第１挿通孔２４ａの中心と上記第２挿通孔２４ｂの中心とを結ぶ線の勾配が上記屋根の水勾配よりも大きくされていると、上記第１、第２挿通孔２４ａ、２４ｂのクリアランスなどに起因して、上記水下側の屋根パネルの水上側が、水上側の屋根パネルの水下側よりも高くなるのを防止することができる。すなわち、上記クリアランスのために、上記水下側の屋根パネル３の水上側が上記第１挿通孔２４ａの最も上の位置で固定され、且つ、上記水上側の屋根パネル３の水下側が上記第２挿通孔２４ｂの最も下の位置で固定されることなどがあったとしても、上記水下側の屋根パネル３の水上側が、水上側の屋根パネル３の水下側よりも高くなるのを防止することができる。
【００３１】
上記水下側の屋根パネル３の水上側と水上側の屋根パネル３の水下側との間に段差が生じても、１次防水層となる鋼板製屋根板等が敷設されるので、防水性上の問題は生じない。また、２次防水層である例えばアスファルトルーフィングを上記段差となる部分を跨ぐように配置できるので、これによっても上記段差部分の防水性を十分に確保できる。ここで、上記２次防水層を屋根パネルの水下側に張り出させて（横の片方向にも張り出すものもある）一体化した屋根パネルが用いられる場合でも、上記第１挿通孔２４ａと第２挿通孔２４ｂとに各々横方向からボルト５を挿通できるので、このような２次防水層付きの屋根パネルの設置作業も効率的に行えることになる。
【００３２】
上記束材２の預け板部２３に一時的に上記屋根パネル３を仮置くことができると、上記屋根パネル３の設置作業が比較的楽に且つ効率的に行えることになる。
【００３３】
また、上述したようなフラット屋根でも、屋根に的確に水勾配を付けることができる。もちろん、本願の屋根の構造はフラット屋根に限定されるものではない。
【００３４】
また、上記束材２であれば、上記屋根パネル３が固定される上記立上板部２４は屋根の水勾配に合せた傾斜角度で設けられる必要がなく、上記第１挿通孔２４ａと第２挿通孔２４ｂの高さの差で屋根の水勾配を形成できるので、作製が容易で勾配の精度も出しやすい。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１      小屋梁（梁）
２      束材
２１    ベース板
２２    支柱部
２３    預け板部
２４    立上板部
２４ａ  第１挿通孔
２４ｂ  第２挿通孔
３      屋根パネル
３１    フレーム
５      ボルト（固定部材）
６      ナット
【図１】
2016118012.tif 000003
【図２】
2016118012.tif 000004
【図３】
2016118012.tif 000005
【図４】
2016118012.tif 000006
【図５】
2016118012.tif 000007